(57)【要約】      （修正有）【課題】素早く紙切れを検出することができる印刷機のウェブ検出装置を提供する。【解決手段】搬送されるウェブＷを印刷する印刷ユニット２と、印刷ユニット２のウェブ搬送方向下流側に設けられ、印刷されたウェブＷを乾燥させる乾燥機３と、乾燥機３のウェブ搬送方向下流側に設けられ、乾燥されたウェブＷが巻き付けられるチルローラ１１と、チルローラ１１の近傍に設けられ、切れたウェブＷ（ｗ２）の紙面交差方向の位置が所定の許容範囲から逸脱したことを検出する検出装置７とを備えるようにした。【選択図】図１
2007307889.tif 000002
【特許請求の範囲】
【請求項１】
搬送されるウェブを印刷する印刷ユニットと、
前記印刷ユニットのウェブ搬送方向下流側に設けられ、印刷されたウェブを乾燥させる乾燥手段と、
前記乾燥手段のウェブ搬送方向下流側に設けられ、乾燥されたウェブが巻き付けられる回転体と、
前記回転体の近傍に設けられ、ウェブの紙面交差方向の位置が許容範囲から逸脱したことを検出する検出手段とを備える
ことを特徴とする印刷機のウェブ検出装置。
【請求項２】
請求項１に記載の印刷機のウェブ検出装置において、
前記検出手段の近傍に設けられ、搬送されるウェブに常時エアーを吐出する吐出手段を備える
ことを特徴とする印刷機のウェブ検出装置。
【請求項３】
請求項２に記載の印刷機のウェブ検出装置において、
前記吐出手段は、搬送されるウェブの上方に設けられる
ことを特徴とする印刷機のウェブ検出装置。
【請求項４】
請求項３に記載の印刷機のウェブ検出装置において、
前記検出手段は、搬送されるウェブの下方に設けられる
ことを特徴とする印刷機のウェブ検出装置。
【請求項５】
請求項１に記載の印刷機のウェブ検出装置において、
前記印刷ユニットと前記乾燥手段との間に設けられると共に、ウェブが許容範囲を逸脱したことを前記検出手段が検出したときに、前記印刷ユニットから前記乾燥手段側に搬送されるウェブを、前記乾燥手段側とは異なった方向に排出させる排出手段を備える
ことを特徴とする印刷機のウェブ検出装置。
【請求項６】
請求項１に記載の印刷機のウェブ検出装置において、
前記印刷ユニットと前記乾燥手段との間に設けられると共に、ウェブが許容範囲を逸脱したことを前記検出手段が検出したときに、前記印刷ユニットからウェブを引き出す排出手段を備える
ことを特徴とする印刷機のウェブ検出装置。
【請求項７】
請求項５または６に記載の印刷機のウェブ検出装置において、
前記排出手段は、
搬送されるウェブの一方側に設けられ、回転駆動する駆動ローラと、
搬送されるウェブの他方側の位置と前記駆動ローラにウェブを介して対接する位置との間で移動可能な移動ローラとを備え、
前記検出手段によりウェブが許容範囲を逸脱したことを検出されると、前記排出手段は前記移動ローラを前記駆動ローラにウェブを介して対接するように移動させる
ことを特徴とする印刷機のウェブ検出装置。
【請求項８】
請求項７に記載の印刷機のウェブ検出装置において、
前記駆動ローラは、搬送されるウェブの下方に設けられ、
前記移動ローラは、搬送されるウェブの上方に設けられる
ことを特徴とする印刷機のウェブ検出装置。
【請求項９】
請求項１に記載の印刷機のウェブ検出装置において、
前記回転体は、搬送されるウェブに張力を付与する回転駆動のローラである
ことを特徴とする印刷機のウェブ検出装置。
【請求項１０】
請求項１に記載の印刷機のウェブ検出装置において、
前記回転体は、前記乾燥手段によって乾燥されたウェブを冷却するチルローラである
ことを特徴とする印刷機のウェブ検出装置。
【発明の詳細な説明】
【技術分野】
【０００１】
本発明は、搬送されるウェブの紙切れを検出する印刷機のウェブ検出装置に関する。
【背景技術】
【０００２】
一般に、巻紙輪転印刷機等の印刷機では、ウェブ（連続用紙）を連続搬送して印刷を行うことから、ウェブの張力変動やその他のトラブル等によって、印刷中に紙切れを起こしてしまうことがある。このような紙切れが起きた場合には、切れたウェブが弛んで、印刷ユニットのゴム胴及び版胴やインキ装置のローラの周面に、多重に巻き付いてしまい、胴やローラに重大な損傷を与えるばかりでなく、印刷機そのものを損傷しかねない。これにより、従来の印刷機には、切れたウェブを検出して、胴やローラへの巻き付けを防止するウェブ検出装置が設けられている。
【０００３】
このウェブ検出装置は、搬送されるウェブの紙面交差方向（上下方向）に所定の許容範囲を設定し、切れたウェブがこの許容範囲を逸脱したことを検出すると、印刷機を停止させるものである。このような、従来の印刷機のウェブ検出装置は、例えば、特許文献１に開示されている。
【０００４】
【特許文献１】特許第３３５２１４５号公報
【発明の開示】
【発明が解決しようとする課題】
【０００５】
従来のウェブ検出装置においては、乾燥機内で切れたウェブを当該乾燥機のウェブ搬送方向上流側において検出するようにしている。しかしながら、従来のように、紙切れした位置からウェブ搬送方向上流側において検出する場合には、張力を失ったウェブを検出することとなり、不安定な切れたウェブの挙動を捉えることは非常に困難であり、検出精度の低下を招いてしまう。従って、従来のウェブ検出装置においては、切れたウェブの挙動によっては、紙切れを検出するまでの時間が遅くなり、切れたウェブの胴やローラへの巻き付け防止を図ることが困難であった。
【０００６】
また、ウェブ検出装置による紙切れ検出を速くするためには、許容範囲を狭くすることが考えられるが、特に乾燥機内に搬送されるウェブは、温風の噴き付けにより紙面交差方向に大きく振幅しており、そして、この振幅は印刷速度等の印刷条件により変動するため、許容範囲を設定する場合にはある程度の余裕が必要とされる。即ち、許容範囲を狭くして紙切れ検出をしようとすると、ウェブが切れていないにも関わらず、紙切れをしたと誤った検出をしてしまうおそれがある。よって、近年、印刷機の高速化が進む中、切れたウェブの巻き付けによる被害を防ぐためにも、紙切れをした際には、安定した素早い検出が求められている。
【０００７】
従って、本発明は上記課題を解決するものであって、素早く紙切れを検出することができる印刷機のウェブ検出装置を提供することを目的とする。
【課題を解決するための手段】
【０００８】
上記課題を解決する第１の発明に係る印刷機のウェブ検出装置は、
搬送されるウェブを印刷する印刷ユニットと、
前記印刷ユニットのウェブ搬送方向下流側に設けられ、印刷されたウェブを乾燥させる乾燥手段と、
前記乾燥手段のウェブ搬送方向下流側に設けられ、乾燥されたウェブが巻き付けられる回転体と、
前記回転体の近傍に設けられ、ウェブの紙面交差方向の位置が許容範囲から逸脱したことを検出する検出手段とを備える
ことを特徴とする。
【０００９】
上記課題を解決する第２の発明に係る印刷機のウェブ検出装置は、
第１の発明に係る印刷機のウェブ検出装置において、
前記検出手段の近傍に設けられ、搬送されるウェブに常時エアーを吐出する吐出手段を備える
ことを特徴とする。
【００１０】
上記課題を解決する第３の発明に係る印刷機のウェブ検出装置は、
第２の発明に係る印刷機のウェブ検出装置において、
前記吐出手段は、搬送されるウェブの上方に設けられる
ことを特徴とする。
【００１１】
上記課題を解決する第４の発明に係る印刷機のウェブ検出装置は、
第３の発明に係る印刷機のウェブ検出装置において、
前記検出手段は、搬送されるウェブの下方に設けられる
ことを特徴とする。
【００１２】
上記課題を解決する第５の発明に係る印刷機のウェブ検出装置は、
第１の発明に係る印刷機のウェブ検出装置において、
前記印刷ユニットと前記乾燥手段との間に設けられると共に、ウェブが許容範囲を逸脱したことを前記検出手段が検出したときに、前記印刷ユニットから前記乾燥手段側に搬送されるウェブを、前記乾燥手段側とは異なった方向に排出させる排出手段を備える
ことを特徴とする。
【００１３】
上記課題を解決する第６の発明に係る印刷機のウェブ検出装置は、
第１の発明に係る印刷機のウェブ検出装置において、
前記印刷ユニットと前記乾燥手段との間に設けられると共に、ウェブが許容範囲を逸脱したことを前記検出手段が検出したときに、前記印刷ユニットからウェブを引き出す排出手段を備える
ことを特徴とする。
【００１４】
上記課題を解決する第７の発明に係る印刷機のウェブ検出装置は、
第５または第６の発明に係る印刷機のウェブ検出装置において、
前記排出手段は、
搬送されるウェブの一方側に設けられ、回転駆動する駆動ローラと、
搬送されるウェブの他方側の位置と前記駆動ローラにウェブを介して対接する位置との間で移動可能な移動ローラとを備え、
前記検出手段によりウェブが許容範囲を逸脱したことを検出されると、前記排出手段は前記移動ローラを前記駆動ローラにウェブを介して対接するように移動させる
ことを特徴とする。
【００１５】
上記課題を解決する第８の発明に係る印刷機のウェブ検出装置は、
第７の発明に係る印刷機のウェブ検出装置において、
前記駆動ローラは、搬送されるウェブの下方に設けられ、
前記移動ローラは、搬送されるウェブの上方に設けられる
ことを特徴とする。
【００１６】
上記課題を解決する第９の発明に係る印刷機のウェブ検出装置は、
第１の発明に係る印刷機のウェブ検出装置において、
前記回転体は、搬送されるウェブに張力を付与する回転駆動のローラである
ことを特徴とする。
【００１７】
上記課題を解決する第１０の発明に係る印刷機のウェブ検出装置は、
第１の発明に係る印刷機のウェブ検出装置において、
前記回転体は、前記乾燥手段によって乾燥されたウェブを冷却するチルローラである
ことを特徴とする。
【発明の効果】
【００１８】
従って、本発明に係る印刷機のウェブ検出装置によれば、回転体によりウェブに張力を付与することができるので、ウェブの紙面交差方向への振幅を極めて小さくすることができる。そして、この振幅が小さくなったウェブを検出手段により検出するようにしたので、搬送されるウェブの紙面交差方向における許容範囲を小さくすることができ、素早くウェブの紙切れを検出することができる。しかも、検出手段の許容範囲を小さくしても、切れていないウェブの誤検出を防止することができる。また、切れたウェブを検出手段の許容範囲から早期に逸脱させることができ、印刷ユニットのゴム胴及び版胴やインキ装置のローラの周面への巻き付けを防止することができる。
【発明を実施するための最良の形態】
【００１９】
以下、本発明に係る印刷機のウェブ検出装置について図面を用いて詳細に説明する。図１は本発明の一実施例に係る印刷機のウェブ検出装置を備えた巻紙輪転印刷機の概略構成図、図２は排出装置の概略構成図、図３は本発明の一実施例に係る印刷機のウェブ検出装置の概略構成図を示している。
【００２０】
図１に示すように、巻紙輪転印刷機１には、搬送されるウェブ（連続用紙）Ｗの搬送方向上流側から印刷ユニット２、乾燥機（乾燥手段）３及び冷却機（冷却手段）４等が順に設けられている。そして、印刷ユニット２と乾燥機３との間には排出装置（排出手段）５が設けられる一方、乾燥機３と冷却機４との間にはウェブ搬送方向上流側からエアー吐出装置（吐出手段）６及び検出装置（検出手段）７が順に設けられている。
【００２１】
印刷ユニット２には上下一対のゴム胴８と、これらゴム胴８を上下方向から挟むようにして配置される上下一対の版胴９とが回転可能に設けられている。印刷ユニット２は、搬送されるウェブＷをゴム胴８間に通過させることにより、当該ウェブＷの両面に印刷を行うことができる。
【００２２】
乾燥機３には乾燥部１０が設けられている。乾燥機３は、印刷ユニット２により印刷されたウェブＷを、この乾燥部１０内に通過させ、ウェブＷの上下方向から高温の温風を噴き付けることにより、ウェブＷの紙面上のインキを乾かすことができる。
【００２３】
冷却機４には駆動回転するチルローラ（回転体）１１が設けられており、このチルローラ１１内には冷却水が循環されている。即ち、冷却機４においては、乾燥機３により高温保持されたウェブＷを、複数のチルローラ１１（図１では１本のみ図示）に巻き付けることにより、ウェブＷに張力を付与すると共に、ウェブＷを冷却することができる。
【００２４】
そして、図１，２に示すように、排出装置５には移動ローラ１２と駆動ローラ１３とが設けられている。移動ローラ１２は搬送されるウェブＷの上方において揺動アーム１４の先端に回転可能に支持されており、揺動アーム１４にはその基端を中心に揺動させるエアシリンダ１６が接続されている。一方、駆動ローラ１３は搬送されるウェブＷの下方において回転可能に支持されており、接続されたモータ１５を駆動させることにより時計周りに回転駆動するようになっている。
【００２５】
即ち、移動ローラ１２はエアシリンダ１６の動作により揺動アーム１４を介して上下方向に移動でき、エアシリンダ１６が短縮したときの搬送されるウェブＷの上方の位置と、エアシリンダ１６が伸長したときの駆動ローラ１３にウェブＷを介して対接した位置との間において、移動可能となっている。
【００２６】
従って、通常運転時においては、巻紙輪転印刷機１を駆動させる本機用駆動モータ（図示省略）と共にモータ１５も駆動され、このモータ１５の駆動により駆動ローラ１３が回転される。このとき、図２の実線に示すように、移動ローラ１２は搬送されるウェブＷの上方に位置して駆動ローラ１３から離間して、移動ローラ１２及び駆動ローラ１３はウェブＷに接触しないので、ウェブＷは乾燥機３内に搬送される。
【００２７】
そして、詳細は後述するが、乾燥機３内でウェブＷの紙切れが発生すると、検出装置７の紙切れ判定部７２からエアシリンダ１６に異常処理信号が送られる。次いで、エアシリンダ１６は、揺動アーム１４を介して移動ローラ１２を下方に移動させて、駆動ローラ１３にウェブＷを介して対接させる。これにより、図２の一点鎖線に示すように、ウェブＷは乾燥機３外の乾燥機３とは異なった方向（図２では排出装置５の下方）へ排出されて、印刷ユニット２から強制的に引き出される。
【００２８】
また、エアー吐出装置６は搬送されるウェブＷの上方に配置されており、そのノズルから常にウェブＷにエアーを噴き付けている。なお、エアー吐出装置６から噴射されるエアーは、ウェブＷの搬送に影響を与えない程度の圧力に設定されている。
【００２９】
次に、検出装置７の構成について図３を用いて詳細に説明する。
【００３０】
図３に示すように、検出装置７は、搬送されるウェブＷの下方に配置されており、ウェブＷの紙切れの際にウェブＷが弛むことを利用し、ウェブＷの搬送位置（搬送高さ）が正常な印刷状態とされる所定の許容範囲Ｈを逸脱することを捉えて、ウェブＷの紙切れを検出する装置である。そして、検出装置７は逸脱検出部７１と紙切れ判定部７２とから構成されている。
【００３１】
逸脱検出部７１は、ウェブＷの搬送位置が許容範囲Ｈを逸脱しているか否かを検出するものであり、距離センサー２０、範囲設定部３０及び逸脱識別部４０から構成されている。距離センサー２０は搬送されるウェブＷの下方に配置されており、ウェブＷまでの距離を検出するものである。また、範囲設定部３０は搬送されるウェブＷの搬送位置が正常な印刷状態とされる許容範囲Ｈを設定するものである。更に、逸脱識別部４０は距離センサー２０により検出した距離が許容範囲Ｈを逸脱しているか否かを識別するものである。一方、紙切れ判定部７２は逸脱識別部４０による識別結果に基づいてウェブＷの紙切れ判定を行うものである。
【００３２】
次に、範囲設定部３０を詳細に説明すると、範囲設定部３０は、搬送されるウェブＷと距離センサー２０との距離（基準距離ＬＲ）を設定する基準距離設定部３１と、搬送されるウェブＷの位置から許容範囲Ｈの上限の位置までの相対距離（上限相対距離ＬＨ＞０）を設定する上限相対距離設定部３２と、搬送されるウェブＷの位置から許容範囲Ｈの下限の位置までの相対距離（下限相対距離ＬＬ＜０）を設定する下限相対距離設定部３３とを備えている。
【００３３】
また、範囲設定部３０は、上述した各設定部３１，３２，３３により設定された基準距離ＬＲ、上限相対距離ＬＨ及び下限相対距離ＬＬをそれぞれ記憶する基準距離記憶部３４、上限相対距離記憶部３５及び下限相対距離記憶部３６を備えると共に、これらの各記憶部３４，３５，３６にそれぞれ記憶された基準距離ＬＲ、上限相対距離ＬＨ及び下限相対距離ＬＬに基づいて許容範囲Ｈの上限値（ＬＲ＋ＬＨ）及び下限値（ＬＲ＋ＬＬ）を演算する演算部３７を備えている。
【００３４】
基準距離設定部３１には、巻紙輪転印刷機１の印刷速度信号が図示しない入力インターフェースを介して常時入力されると共に、距離センサー２０から送られてくる距離信号も常時入力されている。また、基準距離設定部３１は、印刷速度がウェブＷの搬送が安定する所定値に達した時点で、この印刷速度における距離センサー２０による検出距離を基準距離ＬＲとして基準距離記憶部３４に書き込むように構成されている。
【００３５】
なお、基準距離設定部３１に距離センサー２０からの距離信号を常時入力させずに、印刷速度がウェブＷの搬送が安定する所定値に達した時点で、初めて距離センサー２０からの距離信号が入力され、この入力値を基準距離ＬＲとして基準距離記憶部３４に書き込むように構成してもよい。ここで、ウェブＷの搬送が安定する所定速度は、予め基準距離設定部３１に設定されており、印刷速度はこの機械速度を捉えてもよく、版胴速度等を捉えても構わない。
【００３６】
上限相対距離設定部３２及び下限相対距離設定部３３は、巻紙輪転印刷機１の操作盤内に設けられたプッシュボタンやダイヤル式入力器、あるいは、キーボード等により構成され、ＣＲＴ画面を見ながらの対話形式による入力方式としても良い。
【００３７】
演算部３７は、基準距離記憶部３４、上限相対距離記憶部３５及び下限相対距離記憶部３６から読み込んだ基準距離ＬＲ、上限相対距離ＬＨ及び下限相対距離ＬＬに基づいて許容範囲Ｈの上限値（ＬＲ＋ＬＨ）及び下限値（ＬＲ＋ＬＬ）を演算し、これらの演算結果を逸脱識別部４０に送るように構成されている。
【００３８】
次に、逸脱識別部４０を詳細に説明すると、逸脱識別部４０は、演算部３７から送られた上限値（ＬＲ＋ＬＨ）及び下限値（ＬＲ＋ＬＬ）をそれぞれ記憶する上限値記憶部４１及び下限値記憶部４２と、距離センサー２０により検出した距離が許容範囲Ｈを逸脱しているか否かを判定する逸脱判定部４３とを備えている。
【００３９】
逸脱判定部４３では、上限値記憶部４１及び下限値記憶部４２からそれぞれ上限値（ＬＲ＋ＬＨ）及び下限値（ＬＲ＋ＬＬ）を読み込み、図示しない入力インターフェースを介して距離センサー２０から送られてくる距離信号が一定周期で入力される。そして、この一定周期毎に距離センサー２０により検出した距離が上限値（ＬＲ＋ＬＨ）と下限値（ＬＲ＋ＬＬ）との間にあるか否かを判定して、ウェブＷの搬送位置が許容範囲Ｈを逸脱しているか否かを識別するように構成されている。
【００４０】
次に、紙切れ判定部７２を詳細に説明すると、紙切れ判定部７２は、逸脱識別部４０による識別結果に基づいて、距離センサー２０により検出した距離が上限値（ＬＲ＋ＬＨ）と下限値（ＬＲ＋ＬＬ）との間、即ち、許容範囲Ｈ内にある場合には、正常な状態であると判定する。一方、距離センサー２０により検出した距離が上限値（ＬＲ＋ＬＨ）と下限値（ＬＲ＋ＬＬ）との間を逸脱している場合には、ウェブＷの紙切れが発生したと判定して異常処理信号を出力するように構成されている。そして、この異常処理信号は本機用駆動モータ及びエアシリンダ１６に送られる。
【００４１】
なお、基準距離設定部３１、基準距離記憶部３４、上限相対距離記憶部３５、下限相対距離記憶部３６、演算部３７、上限値記憶部４１、下限値記憶部４２、逸脱判定部４３及び紙切れ判定部７２は、それぞれマイクロコンピュータ等の中央演算処理装置及びこれに接続された各種のメモリーなどにより構成されている。
【００４２】
従って、上述した構成をなすことにより、巻紙輪転印刷機１が始動されると、エアー吐出装置６からウェブＷに向けてエアーが噴き出し、また、検出装置７の検出が開始されると共に、駆動ローラ１３が回転駆動する。このとき、上限相対距離設定部３２及び下限相対距離設定部３３には、それぞれ上限相対距離ＬＨ及び下限相対距離ＬＬが予め入力設定されている。
【００４３】
次に、基準距離設定部３１には距離センサー２０から送られる検出距離が一定周期で入力され、巻紙輪転印刷機１の印刷速度が所定値（例えば、機械速度で２００ｒｐｍ）に達したときに、この入力された検出距離を基準距離ＬＲとして基準距離記憶部３４に書き込む。そして、演算部３７が基準距離ＬＲに上限相対距離ＬＨを加えて許容範囲Ｈの上限値（ＬＲ＋ＬＨ）を演算する一方、基準距離ＬＲに下限相対距離ＬＬを加えて許容範囲Ｈの下限値（ＬＲ＋ＬＬ）を演算する。
【００４４】
その後、逸脱判定部４３には距離センサー２０から送られる検出距離が一定周期で入力され、この入力した検出距離が上限値（ＬＲ＋ＬＨ）よりも大きいか否か、または、下限値（ＬＲ＋ＬＬ）よりも小さいか否かを判定する。そして、検出距離が上限値（ＬＲ＋ＬＨ）よりも大きくない場合、且つ、検出距離が下限値（ＬＲ＋ＬＬ）よりも小さくない場合には、紙切れ判定部７２はウェブＷが許容範囲Ｈの高さで搬送されていると判定し、即ち、紙切れをしていないと判定して、検出装置７の検出が続けられる。一方、検出距離が上限値（ＬＲ＋ＬＨ）よりも大きい場合、または、下限値（ＬＲ＋ＬＬ）よりも小さい場合には、紙切れ判定部７２はウェブＷが許容範囲Ｈ内の高さで搬送されていないと判定し、即ち、紙切れをしたと判定して異常処理信号を出力する。
【００４５】
ここで、巻紙輪転印刷機１においては、乾燥機３によりウェブＷに向けて高温の温風が勢いよく噴き付けられることから、乾燥機３内においてウェブＷの紙切れが発生することがある。よって、本実施例においても乾燥機３内を搬送するウェブＷのＣ点（図１参照）で紙切れが発生したとする。このとき、切れたウェブＷは、Ｃ点に対して搬送方向上流側のウェブｗ１と、Ｃ点に対して搬送方向下流側のウェブｗ２とに切り離される。
【００４６】
紙切れが発生するときには、すでにウェブｗ２にエアー吐出装置６のエアーが噴き付けられるので、図３の一点鎖線に示すように、強制的に許容範囲Ｈから逸脱されることになる。これにより、紙切れが発生した場合には、ウェブｗ２を素早く許容範囲Ｈから逸脱させることができるので、紙切れをしてから検出するまでの時間を短縮することができる。
【００４７】
そして、上述したように、ウェブＷのＣ点で紙切れが発生して紙切れ判定部７２が紙切れと判定した場合には、紙切れ判定部７２から本機駆動用モータ及びエアシリンダ１６に異常処理信号が出力される。この異常処理信号が出力されると、本機駆動用モータは停止されると共に、揺動アーム１４はウェブｗ１に向けて下方に揺動される。即ち、巻紙輪転印刷機１は停止されると共に、移動ローラ１２はウェブｗ１を介して駆動ローラ１３に対接される。
【００４８】
移動ローラ１２が駆動ローラ１３にウェブｗ１を介して対接すると、ウェブｗ１は駆動ローラ１３に押し当てられると共に、移動ローラ１２は駆動ローラ１３に連れ回りされ、図２の一点鎖線に示すように、ウェブｗ１は排出装置５の下方へ排出される。これにより、紙切れをした後においてもウェブｗ１は印刷ユニット１により搬送されることになるが、駆動ローラ１３の回転により次々と排出されるので、ウェブｗ１のゴム胴８や版胴９等の胴やインキ装置のローラの周面への巻き付きが防止される。
【００４９】
なお、本実施形態においては、エアー吐出装置６を搬送されるウェブＷの上方に設けるようにしたが、ウェブＷの下方に設けるようにしても構わない。一方、検出装置７を搬送されるウェブＷの下方に設けるようにしたが、ウェブＷの上方に設けるようにしても構わない。また、駆動回転するチルローラ１１を用いたが、搬送されるウェブＷにより連れ回り（従動回転）するチルローラであってもよく、このようなチルローラでもウェブＷに張力を付与すことができる。
【００５０】
従って、本発明の印刷機のウェブ検出装置によれば、乾燥機３と冷却機４との間のチルローラ１１の近傍に検出装置７を設け、この検出装置７により切れたウェブＷ（ｗ２）の紙面交差方向の位置が許容範囲Ｈから逸脱したことを検出するようにしたことにより、安定して素早く紙切れを検出することができる。
【００５１】
即ち、従来のように乾燥機のウェブ搬送方向上流側に検出装置を設けた場合には、乾燥部による上下方向からの温風の噴き付けにより、ウェブの紙面交差方向の振幅が大きくなるのに対し、本発明のように、乾燥機３のウェブ搬送方向上流側における冷却機４の近傍に検出装置７を設けた場合には、乾燥部１０による上下方向からの温風の噴き付けによる影響がなくなるだけでなく、チルローラ１１に巻き付けられることにより発生するウェブＷの張力により、ウェブＷの紙面交差方向の振幅を抑制することができる。これにより、許容範囲Ｈを小さく設定することができるので、安定して素早く紙切れを検出することができる。そして、ウェブＷが許容範囲Ｈを逸脱したときには、必ず、ウェブＷが紙切れ状態にある検出を行えるので、切れていないウェブＷの誤検出を防止することができる。
【００５２】
また、エアー吐出装置６を検出装置７の近傍に設け、搬送されるウェブＷ（ｗ２）に常時エアーを吐出するようにしたことにより、チルローラ１１に巻き付けられることにより張力が増したウェブＷにエアーを吐出するので、更に紙面交差方向の振幅を抑制させることができる一方、切れたウェブｗ２を許容範囲Ｈから安定して素早く逸脱させると共に、紙切れ発生時から異常処理を行うまでの時間を大幅に短縮することができる。
【００５３】
しかも、エアー吐出装置６を乾燥機３のウェブ搬送方向下流側の冷却機４の近傍に設けているので、高温保持されたウェブＷを冷却することができ、印刷品質を向上させることができる。また、エアー吐出装置６を搬送されるウェブＷの上方に設けているので、エアーの吐出方向が重力方向と同じになり、更に切れたウェブＷ（ｗ２）を許容範囲Ｈから早期に逸脱させることができる。
【００５４】
更に、排出装置５を印刷ユニット２と乾燥機３との間に設け、切れたウェブｗ２が許容範囲Ｈを逸脱したことが検出されたときに、乾燥機３側に搬送される切れたウェブｗ１を乾燥機３側とは異なった方向に強制的に排出させるようにしたことにより、切れたウェブｗ１の印刷ユニット２のゴム胴８や版胴９等の胴やインキ装置のローラへの巻き付けを防止することができる。
【産業上の利用可能性】
【００５５】
ウェブの紙切れを短時間で検出すると共に、切れたウェブの印刷機への巻き付けを防止する印刷機のウェブ検出装置に適用可能である。
【図面の簡単な説明】
【００５６】
【図１】本発明の一実施例に係る印刷機のウェブ検出装置を備えた巻紙輪転印刷機の概略構成図である。
【図２】排出装置の概略構成図である。
【図３】本発明の一実施例に係る印刷機のウェブ検出装置の概略構成図である。
【符号の説明】
【００５７】
１      巻紙輪転印刷機
２      印刷ユニット
３      乾燥機
４      冷却機
５      排出装置
６      エアー吐出装置
７      検出装置
１１      チルローラ
１２      移動ローラ
１３      駆動ローラ
１６      エアシリンダ
２０      距離センサー
３０      範囲設定部
４０      逸脱識別部
７１      逸脱検出部
７２      紙切れ判定部
【図１】
2007307889.tif 000003
【図２】
2007307889.tif 000004
【図３】
2007307889.tif 000005